(57)【要約】      （修正有）【課題】２つの基準点を設けた顔認証装置とすることにより、略一定の顔画像サイズを撮影し、モバイル環境においても簡易に登録者・未登録者の認証率が高くなり、また、顔画像の正規化処理においてバラツキを低減し、モバイル環境においても登録者・未登録者の認証率が高く、且つ、セキュリティ度の高い顔認証システムを提供する。【解決手段】顔認証装置は、顔を撮影するカメラと、該カメラで撮影した顔画像に２つの基準点を重畳する基準点重畳部と、前記カメラに近接して設けられ、前記顔画像に２つの基準点を重畳した画像を表示する表示部と、を備える。【選択図】図３
2006221282.tif 000002
【特許請求の範囲】
【請求項１】
顔を撮影するカメラと、
該カメラで撮影した顔画像に２つの基準点を重畳する基準点重畳部と、
前記カメラに近接して設けられ、前記顔画像に２つの基準点を重畳した画像を表示する表示部と、
を備えることを特徴とする顔認証装置。
【請求項２】
前記２つの基準点が、前記カメラで撮影した顔画像のうち両目に重畳されることを特徴とする請求項１に記載の顔認証装置。
【請求項３】
前記カメラは、カメラ付き携帯電話に設置されたカメラであり、前記基準点重畳部は、ダウンロードしたアプリケーションプログラムにより前記顔画像に前記２つの基準点を重畳する前記カメラ付き携帯電話であり、前記表示部は、前記カメラ付き携帯電話に設置された液晶モニタであることを特徴とする請求項１又は２に記載の顔認証装置。
【請求項４】
請求項１から３に記載のいずれかの顔認証装置を利用する第１の顔認証装置と、
請求項１から３に記載のいずれかの顔認証装置を利用する第２の顔認証装置と、
通信網に接続する通信端末と、前記通信網に接続する制御サーバと、前記通信網に接続する認証サーバと、前記通信網に接続する情報配信サーバと、を少なくとも備える顔認証システムであって、
前記第１の顔認証装置は、登録用顔画像を撮影し、前記通信網を介して前記登録用顔画像を前記認証サーバに送信するものであり、
前記第２の顔認証装置は、認証用顔画像を撮影し、前記認証用顔画像を前記通信端末に送信するものであり、
前記通信端末は、前記通信網を介して前記制御サーバから登録者を識別する登録者ＩＤを受信し、該登録者ＩＤを記録し、前記第２の顔認証装置から前記認証用顔画像を受信し、前記通信網を介して該認証用顔画像を前記制御サーバに送信し、記録している前記登録者ＩＤを認証用ＩＤとして前記通信網を介して前記制御サーバに送信し、前記通信網を介して前記制御サーバから前記認証用ＩＤ及びパスワードを受信し、該パスワードを記録し、記録している前記認証用ＩＤ及び該パスワードを前記通信網を介して前記情報配信サーバに送信し、前記通信網を介して該情報配信サーバから所定の情報を受信するものであり、前記制御サーバは、登録者に対応して前記登録者ＩＤを付与し、前記通信網を介して前記登録者ＩＤを前記通信端末に送信し、前記登録者ＩＤを前記認証サーバに送信し、前記通信網を介して前記通信端末から前記認証用顔画像及び前記認証用ＩＤを受信し、該認証用ＩＤが前記登録者ＩＤであることを認証し、該認証用ＩＤが前記登録者ＩＤであることを認証すると前記通信端末から送信された前記認証用顔画像及び前記認証用ＩＤを前記認証サーバに送信し、前記認証サーバから画像認証信号を受信し、前記情報配信サーバへのアクセスのための前記パスワードを前記認証用ＩＤに付与し、前記通信網を介して該認証用ＩＤ及び該パスワードを前記通信端末に送信し、前記認証用ＩＤ及び前記パスワードを前記情報配信サーバに送信するものであり、
前記認証サーバは、前記制御サーバから前記登録者ＩＤを取得し、前記通信網を介して前記第１の顔認証装置から前記登録用顔画像を受信し、該登録用顔画像を登録し、前記制御サーバから前記認証用顔画像及び前記認証用ＩＤを受信し、前記登録用顔画像と前記認証用顔画像とを正規化処理及び相関処理し、前記登録用顔画像と前記認証用顔画像が同一か否かを判断し、前記登録用顔画像と前記認証用顔画像とが同一と認証すると前記画像認証信号を前記制御サーバに送信するものであり、
前記情報配信サーバは、前記制御サーバから前記認証用ＩＤ及び前記パスワードを受信し、該認証用ＩＤ及び該パスワードを夫々確認用ＩＤ及び確認用パスワードとして記録し、前記通信網を介して前記通信端末から前記認証用ＩＤ及び前記パスワードを受信し、該認証用ＩＤ及び該パスワードが夫々前記確認用ＩＤ及び前記確認用パスワードと同一であることを確認し、該認証用ＩＤ及び該パスワードが夫々確認用ＩＤ及び確認用パスワードと同一であると取得している前記所定の情報を前記通信網を介して前記通信端末に送信するものであることを特徴とする顔認証システム。
【請求項５】
前記登録者ＩＤ及び前記認証用ＩＤは、カメラ付き携帯電話のＩＤであることを特徴とする請求項４に記載の顔認証システム。
【請求項６】
前記通信端末が無線通信網により接続される無線通信端末であることを特徴とする請求項４又は５に記載の顔認証システム。
【請求項７】
前記通信端末から前記通信網を介して前記制御サーバに送信される前記認証用顔画像が暗号化されていることを特徴とする請求項４、５又は６に記載の顔認証システム。
【請求項８】
前記通信端末は、前記通信網を介して前記制御サーバに前記認証用顔画像を送信すると、該認証用顔画像を前記通信端末のメモリから削除することを特徴とする請求項４、５、６又は７に記載の顔認証システム。
【請求項９】
前記認証サーバで行なう正規化処理が、前記登録用顔画像と前記認証用顔画像の各々の両目間の距離で各々の顔画像を正規化することを特徴とする請求項４から８に記載の顔認証システム。
【請求項１０】
前記情報配信サーバは、前記パスワードを前記制御サーバから受信して所定の時間を超えると、該パスワードを削除又は無効処理することを特徴とする請求項４から９に記載の顔認証システム。
【請求項１１】
前記情報配信サーバは、前記通信網を介して前記通信端末から前記パスワードを受信し、前記所定の情報を送信すると、該パスワードを削除又は無効処理することを特徴とする請求項４から１０に記載の顔認証システム。
【発明の詳細な説明】
【技術分野】
【０００１】
本発明は、顔認証装置とその顔認証装置を用いた顔認証システムに関する。
【背景技術】
【０００２】
携帯電話に代表されるモバイル機器は、第３世代を迎え、通話の他にメール、インターネット接続、静止画撮影、動画撮影、音楽配信、音楽再生、ＧＰＳ機能など急速にその機能を拡大している。第４世代といわれる次世代携帯電話では、ユビキタス社会における情報家電操作や遠隔医療診断などのための端末として、電話機から個人用の情報端末へと姿を変えている。このようなハードウェア面での拡大、充実に伴い、モバイルバンキングや電子マネーなど、様々なアプリケーションも開発されている。これらアプリケーションで取り扱われる情報は多くの個人情報が含まれている。
【０００３】
一方、このようなモバイル機器のためのネットワークにおける個人認証は、未だ４桁程度の数字や文字をパスワードとするものが主流である。このような４桁程度のパスワードでは、不正なアクセスによる情報の盗難、流出、改ざんなど、十分なセキュリティが確保されているとはいえない。
【０００４】
このパスワードに変わる個人認証の手段として、最近ではバイオメトリクス認証技術の開発が盛んに行なわれている。バイオメトリクス認証技術には、例えば指紋を利用した認証技術や眼球の虹彩を利用した認証技術などがある。指紋センサを携帯電話に搭載する携帯電話が開発されているが、指紋センサを搭載した機種でのみの利用となり、幅広い活用は難しい。また、眼球の虹彩を識別するセンサは高価で且つ装置も大きく、モバイル機器に適用するには未だ課題がある。
【０００５】
さらに、バイオメトリクス認証技術の別の方式として光学的顔画像認識技術の開発が行なわれている（例えば特許文献１を参照。）。顔画像認識については、主にデジタルコンピュータによるものが各種開示されている。しかし、デジタルコンピュータの場合、膨大なデータベースとの照合は計算時間の点から未だ課題がある。特許文献１は、この課題を克服するものであり、データベースとの照合に光学的な演算方法である光相関演算を取り入れたものである。
【０００６】
光相関演算を用いた光学的顔画像認識方法は、例えば光学的信号処理部においては、画像間の相関演算はバイナリ光学素子を用いて空間並列な実時間演算を行ない、入力・参照画像の読み出しには夫々デュプリケート及び光メモリを用いて高速演算を行なう。また、デジタルコンピュータ部においては、光演算に適した顔画像中の３点の面積による正規化、エッジ抽出、及び、２値化処理を行ない、光演算で得られた相関信号から登録者・未登録者の識別のための評価値を得る。
【特許文献１】特開２００２−１１７４０６号公報
【発明の開示】
【発明が解決しようとする課題】
【０００７】
この光相関演算を用いた光学的顔画像認識方法により、超高速な顔画像認識が可能となる。この方法では、画像を撮影する際、当該画像を表示するモニタに枠を設け、その中に顔が入るように顔画像を撮影する。しかし、枠内に顔を入れる行為は登録者の主観に影響され、カメラと顔との距離、つまり撮影される顔画像サイズにバラツキが生じる。また、撮影した顔画像のうちの３点、例えば両目の目頭と鼻下を画像中で指定し面積を求め、画像の正規化を行なう。しかし、撮影した顔画像は、顔がカメラに対して平行に撮影された場合と、傾いて撮影された場合とで面積差が生じ、正規化後の顔画像サイズにバラツキが生じる。これをもとに登録用顔画像と認証用顔画像の相関処理を行なうと、認証率が低下する。カメラと顔の距離を、固定したカメラと固定した椅子などで規定することで上記のバラツキを低減することも可能であるが、これを携帯電話などのモバイル機器を用いた環境では利用することができない。
【０００８】
したがって本発明は、顔認証装置が、撮影する顔画像に２つの基準点を重畳して撮影するものとする。登録者が、顔の特定部をこの基準点に合わせるようにして顔画像を撮影する。これにより、撮影される顔画像サイズのバラツキを低減し、この顔画像サイズをもとに、画像処理を行ない、モバイル環境においても簡易に登録者・未登録者の認証率の高い顔認証装置を提供することを目的とする。
【０００９】
また、本発明は、登録者の登録用顔画像及び認証用顔画像を撮影する顔認証装置と、通信端末と、制御サーバと、認証サーバと、情報配信サーバと、を組み合わせたシステムを構築する。これにより、モバイル環境においても登録者・未登録者の認証率が高く、且つ、セキュリティ度の高い顔認証システムを提供することを目的とする。
【課題を解決するための手段】
【００１０】
上記課題を解決するため、本発明は、撮影する顔画像に２つの基準点を重畳して撮影する顔認証装置とする。また、本発明は、２つの基準点を両目に特定する顔認証装置とする。さらに、本発明は、顔認証装置として通常のカメラ付き携帯電話を使用する顔認証装置とする。また上記課題を解決するため、本発明は、登録者の登録用顔画像及び認証用顔画像を撮影する顔認証装置と、通信端末と、制御サーバと、認証サーバと、情報配信サーバと、を組み合わせた顔認証システムとする。この顔認証装置として通常のカメラ付き携帯電話を使用し、通信端末として無線通信端末を使用する。また、暗号化、メモリからの情報の削除、或いは、パスワードの無効化によりセキュリティ度を高い顔認証システムとする。
【００１１】
具体的には、本発明に係る顔認証装置は、顔を撮影するカメラと、該カメラで撮影した顔画像に２つの基準点を重畳する基準点重畳部と、前記カメラに近接して設けられ、前記顔画像に２つの基準点を重畳した画像を表示する表示部と、を備えることを特徴とする。
【００１２】
カメラと顔画像の表示部を近接して設けることで、顔画像の登録者は自身の顔画像を見ながら、カメラと顔との距離、つまり撮影される顔画像サイズを調節することができる。また、表示部に表示される２つの基準点に自身の顔の特定部分を合わせることで、任意の登録者において略一定の顔画像サイズを撮影することができる。
【００１３】
本発明に係る顔認証装置では、前記２つの基準点が、前記カメラで撮影した顔画像のうち両目に重畳されることが好ましい。両目を指定された登録者は、他の部位に比べ比較的容易に基準点を重畳させることができる。また、両目の間の距離は、比較的個人差も少なく、任意の複数の登録者間で略一定の顔画像サイズを得ることができ、略一定の認証率とすることができる。さらに、２つの基準点を登録者の両目に重畳させることで、２つの基準点は顔画像の両目の中に収まるので、認証画像として使用する際になんら影響がない。
【００１４】
また、本発明に係る顔認証装置では、前記カメラは、カメラ付き携帯電話に設置されたカメラであり、前記基準点重畳部は、ダウンロードしたアプリケーションプログラムにより前記顔画像に前記２つの基準点を重畳する前記カメラ付き携帯電話であり、前記表示部は、前記カメラ付き携帯電話に設置された液晶モニタであることを含む。このように特別な装置や機能を準備する必要がなく、機種を問わず通常のカメラ付き携帯電話を顔認証装置とすることができる。
【００１５】
本発明に係る顔認証システムは、請求項１から３に記載のいずれかの顔認証装置を利用する第１の顔認証装置と、請求項１から３に記載のいずれかの顔認証装置を利用する第２の顔認証装置と、通信網に接続する通信端末と、前記通信網に接続する制御サーバと、前記通信網に接続する認証サーバと、前記通信網に接続する情報配信サーバと、を少なくとも備える顔認証システムであって、前記第１の顔認証装置は、登録用顔画像を撮影し、前記通信網を介して前記登録用顔画像を前記認証サーバに送信するものであり、前記第２の顔認証装置は、認証用顔画像を撮影し、前記認証用顔画像を前記通信端末に送信するものであり、前記通信端末は、前記通信網を介して前記制御サーバから登録者を識別する登録者ＩＤを受信し、該登録者ＩＤを記録し、前記第２の顔認証装置から前記認証用顔画像を受信し、前記通信網を介して該認証用顔画像を前記制御サーバに送信し、記録している前記登録者ＩＤを認証用ＩＤとして前記通信網を介して前記制御サーバに送信し、前記通信網を介して前記制御サーバから前記認証用ＩＤ及びパスワードを受信し、該パスワードを記録し、記録している前記認証用ＩＤ及び該パスワードを前記通信網を介して前記情報配信サーバに送信し、前記通信網を介して該情報配信サーバから所定の情報を受信するものであり、前記制御サーバは、登録者に対応して前記登録者ＩＤを付与し、前記通信網を介して前記登録者ＩＤを前記通信端末に送信し、前記登録者ＩＤを前記認証サーバに送信し、前記通信網を介して前記通信端末から前記認証用顔画像及び前記認証用ＩＤを受信し、該認証用ＩＤが前記登録者ＩＤであることを認証し、該認証用ＩＤが前記登録者ＩＤであることを認証すると前記通信端末から送信された前記認証用顔画像及び前記認証用ＩＤを前記認証サーバに送信し、前記認証サーバから画像認証信号を受信し、前記情報配信サーバへのアクセスのための前記パスワードを前記認証用ＩＤに付与し、前記通信網を介して該認証用ＩＤ及び該パスワードを前記通信端末に送信し、前記認証用ＩＤ及び前記パスワードを前記情報配信サーバに送信するものであり、前記認証サーバは、前記制御サーバから前記登録者ＩＤを取得し、前記通信網を介して前記第１の顔認証装置から前記登録用顔画像を受信し、該登録用顔画像を登録し、前記制御サーバから前記認証用顔画像及び前記認証用ＩＤを受信し、前記登録用顔画像と前記認証用顔画像とを正規化処理及び相関処理し、前記登録用顔画像と前記認証用顔画像が同一か否かを判断し、前記登録用顔画像と前記認証用顔画像とが同一と認証すると前記画像認証信号を前記制御サーバに送信するものであり、前記情報配信サーバは、前記制御サーバから前記認証用ＩＤ及び前記パスワードを受信し、該認証用ＩＤ及び該パスワードを夫々確認用ＩＤ及び確認用パスワードとして記録し、前記通信網を介して前記通信端末から前記認証用ＩＤ及び前記パスワードを受信し、該認証用ＩＤ及び該パスワードが夫々前記確認用ＩＤ及び前記確認用パスワードと同一であることを確認し、該認証用ＩＤ及び該パスワードが夫々確認用ＩＤ及び確認用パスワードと同一であると取得している前記所定の情報を前記通信網を介して前記通信端末に送信するものであることを特徴とする。
【００１６】
登録者の登録用顔画像及び認証用顔画像を前記の顔認証装置で撮影することで、認証のための画像処理で行なう顔画像の正規化処理を略一定の顔画像サイズで行なうことができる。また、登録用顔画像を登録する段階で登録者ＩＤを発行し、これを登録者の通信端末に記録するので、制御サーバが認証用顔画像を受信する際に、まず登録者ＩＤで照合を行なうことができる。認証サーバでは、特定の２つの基準点でサイジングされた登録用顔画像及び認証用顔画像を正規化処理し、これを例えば特許文献１に示される光相関処理することで、高い精度の登録者・未登録者の照合を行なうことができる。また、登録者の認証がされると、登録者ＩＤにパスワードを付与し、このパスワードをもって情報配信サーバにアクセスするので、認証された登録者のみが所定の情報を得ることができる。
【００１７】
また、本発明に係る顔認証システムでは、前記登録者ＩＤ及び前記認証用ＩＤは、カメラ付き携帯電話のＩＤであることが好ましい。前述のように顔認証装置として通常のカメラ付き携帯電話を使用することができ、このカメラ付き携帯電話固有のＩＤを登録者ＩＤ及び認証用ＩＤとすることが可能である。
【００１８】
さらに、本発明に係る顔認証システムでは、前記通信端末が無線通信網により接続される無線通信端末であることが好ましい。顔認証装置としてカメラ付き携帯電話を使用するモバイル環境において情報配信サーバから所定の情報を得ることができる。
【００１９】
本発明に係る顔認証システムでは、前記通信端末から前記通信網を介して前記制御サーバに送信される前記認証用顔画像が暗号化されていることを含む。認証用顔画像を送信する際の本システム外部からの不正なアクセスに対し、認証用顔画像をＳＳＬ（Ｓｅｃｕｒｅ  Ｓｏｃｋｅｔ  Ｌａｙｅｒ）通信で暗号化して送信することで、個人情報のセキュリティ度を高くすることができる。
【００２０】
また、本発明に係る顔認証システムでは、前記通信端末は、前記通信網を介して前記制御サーバに前記認証用顔画像を送信すると、該認証用顔画像を前記通信端末のメモリから削除することを含む。例えば通信端末が盗難された場合、盗難した者が登録者になりすまし通信端末を使用し、情報を盗取することを防止することができる。
【００２１】
さらに、本発明に係る顔認証システムでは、前記認証サーバで行なう正規化処理が、前記登録用顔画像と前記認証用顔画像の各々の両目間の距離で各々の顔画像を正規化することが好ましい。例えば顔画像の３点で形成される面積で正規化を行なうと、顔がカメラに対して平行に撮影された場合と、傾いて撮影された場合とで面積差が生じ、正規化後の顔画像サイズにバラツキが生じる。これをもとに登録用顔画像と認証用顔画像の相関処理を行なうと、認証率が低下する。一方、両目の２点間の距離で正規化処理を行なえば、前述の面積差の影響を受けず、正規化後の顔画像サイズのバラツキも少なく、高い認証率を実現できる。
【００２２】
本発明に係る顔認証システムでは、前記情報配信サーバは、前記パスワードを前記制御サーバから受信して所定の時間を超えると、該パスワードを削除又は無効処理することを含む。制御サーバからパスワードを受信した通信端末が盗難された場合、盗難した者が登録者になりすまし通信端末を使用し、情報を盗取することを防止するため、情報配信サーバ側で所定の時間が経過したパスワードに制限を設けるものである。
【００２３】
また、本発明に係る顔認証システムでは、前記情報配信サーバは、前記通信網を介して前記通信端末から前記パスワードを受信し、前記所定の情報を送信すると、該パスワードを削除又は無効処理することを含む。制御サーバからパスワードを受信した通信端末が盗難された場合、盗難した者が登録者になりすまし通信端末を使用し、情報を盗取することを防止するため、情報配信サーバ側で一度使用されたパスワードに制限を設けるいわゆるワンタイムパスワードとするものである。
【発明の効果】
【００２４】
本発明により、顔認証装置が、カメラと顔画像の表示部を近接して設けることで、顔画像の登録者は自身の顔画像を見ながら、カメラと顔との距離、つまり撮影される顔画像サイズを調節することができる。また、表示部に表示される２つの基準点に自身の顔の特定部分を合わせることで、任意の登録者が、略一定の顔画像サイズを撮影することができる。これにより、画像処理段階で行なう正規化処理を略一定の顔画像サイズで行なうことができ、モバイル環境においても簡易に登録者・未登録者の認証率の高い顔認証装置を提供することができる。
【００２５】
また、本発明により、登録者の登録用顔画像及び認証用顔画像を撮影する顔認証装置と、通信端末と、制御サーバと、認証サーバと、情報配信サーバと、を組み合わせたシステムを構築する。登録者の登録用顔画像及び認証用顔画像を前記の顔認証装置で撮影することで、画像処理段階で行なう正規化処理を略一定の顔画像サイズで行なうことができる。また、登録用顔画像を登録する段階で登録者ＩＤを発行し、これを登録者の通信端末に記録するので、制御サーバが認証用顔画像を受信する際に、まず登録者ＩＤで照合を行なうことができる。認証サーバでは、特定の２つの基準点で登録用顔画像及び認証用顔画像を正規化処理し、これを相関処理することで、高い精度の登録者・未登録者の照合を行なうことができる。また、登録者の認証がされると、登録者ＩＤにパスワードを付与し、このパスワードをもって情報配信サーバにアクセスするので、認証された登録者のみが所定の情報を得ることができる。したがって、モバイル環境においても登録者・未登録者の認証率が高く、且つ、セキュリティ度の高い顔認証システムを提供することができる。
【発明を実施するための最良の形態】
【００２６】
以下、本発明について実施形態を示しながら詳細に説明するが本発明はこれらの記載に限定して解釈されない。以下、図１から図６を参照しながら本実施形態に係る顔認証装置及びこれを用いた顔認証システムについて説明する。
【００２７】
（顔認証装置）
本実施形態に係る顔認証装置は、顔を撮影するカメラと、該カメラで撮影した顔画像に２つの基準点を重畳する基準点重畳部と、前記カメラに近接して設けられ、前記顔画像に２つの基準点を重畳した画像を表示する表示部と、を備える。
【００２８】
図１に本実施形態係る顔認証装置１００の一形態の概略図を示す。顔認証装置１００は、カメラ１と、表示部２と、表示部２に基準点重畳部３を備える。図１に示す顔認証装置１００は、カメラ付き携帯電話を兼用する例である。本実施形態においては、このような形態としても良く、デジタルカメラとＰＤＡなどのモバイル機器との組み合わせとしても良い。また、カメラ付きパーソナルコンピュータであっても良く、デジタルカメラとパーソナルコンピュータとの組み合わせであっても良い。
【００２９】
カメラ１は、通常のカメラ付き携帯電話に備えられるデジタルカメラであり、種類、サイズ、画素数など特に限定はしない。撮像素子にＣＣＤセンサを使用するものであっても良く、ＣＭＯＳセンサを使用するものであっても良い。
【００３０】
表示部２は、通常のカメラ付き携帯電話に備えられるディスプレイであり、種類、サイズなど特に限定しない。表示部２を液晶ディスプレイとする場合、液晶の種類は、ＴＦＴ液晶であっても良く、ＳＴＮ液晶やＴＦＤ液晶であっても良い。また、有機ＥＬ（Ｅｌｅｃｔｒｏ  Ｌｕｍｉｎｅｓｃｅｎｃｅ）を使用するディスプレイであっても良い。
【００３１】
顔認証装置１００における表示部２の配置は、カメラ１に近接して設けられ、カメラ１が設けられる面と表示部２が設けられる面が同じ方向を向いた面であることが好ましい。顔画像５を撮影する際に、画像を確認しながら撮影することができる。また、カメラ１が表示部２と近接していることで、例えば後述する基準点４に両目を重畳することが容易となる。カメラ１の配置は、図１に示すように顔認証装置１００が折り畳み式の携帯電話である場合、回動部に設けられても良く、表示部２の同一平面上の上下左右のいずれかの位置に設けられても良い。
【００３２】
基準点重畳部３は、カメラ１で撮影した顔画像５に２つの基準点４を重畳するものである。本実施形態においては、図１に示すように顔認証装置１００をカメラ付き携帯電話として、ダウンロードしたアプリケーションプログラムにより基準点４を表示部２に表示するカメラ付き携帯電話そのものを基準点重畳部３としても良い。また、基準点重畳部３を携帯電話のディスプレイを保護するシートとして、シートに予め基準点を記載し、このシートをディスプレイ上に貼付することとしても良い。
【００３３】
ダウンロードしたアプリケーションプログラムにより基準点４を表示部２に表示するカメラ付き携帯電話そのものを基準点重畳部３とする場合、アプリケーションプログラムはＪＡＶＡ（登録商標）言語で作製されたプログラムであることが好ましい。ＪＡＶＡ（登録商標）言語で開発されたプログラムは、特定のＯＳやマイクロプロセッサに依存することなく、原則どのようなプラットフォームでも動作する。したがって、ＪＡＶＡ（登録商標）が搭載された多機種の装置で本発明を利用することができる。
【００３４】
基準点４は、顔画像５の特定の部分を重畳させるための指標となるものである。基準点４の形状、寸法は特に限定しない。丸形状であっても、四角形状であっても良い。色彩も特に限定しない。例えば、顔画像５の両目に基準点４を重畳する場合であって、基準点４を合成した顔画像５を登録用顔画像及び認証用顔画像とする場合、基準点４を黒色とすると、基準点４は顔画像５の両目の中に収まるので、認証画像として使用する際になんら影響がないので好ましい。
【００３５】
基準点４は２つを設ける。基準点４を１つとした場合、顔画像５を撮影する者は、カメラと顔の距離を認識できず、撮影された顔画像サイズにバラツキが生じる。これをもとに登録用顔画像と認証用顔画像の相関処理を行なうと、認証率の低下に繋がる。基準点４を２つ設けることで、顔画像サイズのバラツキを低減することができる。また、基準点４を３つ以上設けることとしても良い。
【００３６】
２つの基準点４は、カメラ１で撮影した顔画像５のうち両目に重畳されることが好ましい。両目を指定された登録者は、他の部位に比べ比較的容易に基準点４を重畳させることができる。また、両目の間の距離は、比較的個人差も少なく、任意の複数の登録者間で略一定の顔画像サイズを得ることができ、略一定の認証率とすることができる。
【００３７】
図２（１）は、２つの基準点を使用して、２つの基準点が夫々両目に収まるように重畳して撮影した顔画像の例を示す。また、図２（２）は、基準点に換えて四角形状の枠を使用して、この枠内に顔が収まるように撮影した顔画像の例を示す。図２（１）、（２）ともに左側に並ぶ顔画像は登録用として撮影した画像であり、右側に並ぶ顔画像は認証用として撮影した画像である。図２（１）に示すように２つの基準点４を使用した場合は、登録用顔画像と認証用顔画像の顔画像サイズが略一致しているといえる。一方、図２（２）に示すように枠を使用した場合は、双方の顔画像サイズのバラツキが大きいことが解る。このように２つの基準点を使用して顔画像を撮影することにより、被験者に因らず極めて安定した顔画像サイズを取得することができ、この結果、略一定の認証率とすることができる。
【００３８】
（顔認証システム）
続いて、本実施形態に係る顔認証システムについて説明する。本実施形態に係る顔認証システムは、請求項１から３に記載のいずれかの顔認証装置を利用する第１の顔認証装置と、請求項１から３に記載のいずれかの顔認証装置を利用する第２の顔認証装置と、通信網に接続する通信端末と、前記通信網に接続する制御サーバと、前記通信網に接続する認証サーバと、前記通信網に接続する情報配信サーバと、を少なくとも備える顔認証システムであって、前記第１の顔認証装置は、登録用顔画像を撮影し、前記通信網を介して前記登録用顔画像を前記認証サーバに送信するものであり、前記第２の顔認証装置は、認証用顔画像を撮影し、前記認証用顔画像を前記通信端末に送信するものであり、前記通信端末は、前記通信網を介して前記制御サーバから登録者を識別する登録者ＩＤを受信し、該登録者ＩＤを記録し、前記第２の顔認証装置から前記認証用顔画像を受信し、前記通信網を介して該認証用顔画像を前記制御サーバに送信し、記録している前記登録者ＩＤを認証用ＩＤとして前記通信網を介して前記制御サーバに送信し、前記通信網を介して前記制御サーバから前記認証用ＩＤ及びパスワードを受信し、該パスワードを記録し、記録している前記認証用ＩＤ及び該パスワードを前記通信網を介して前記情報配信サーバに送信し、前記通信網を介して該情報配信サーバから所定の情報を受信するものであり、前記制御サーバは、登録者に対応して前記登録者ＩＤを付与し、前記通信網を介して前記登録者ＩＤを前記通信端末に送信し、前記登録者ＩＤを前記認証サーバに送信し、前記通信網を介して前記通信端末から前記認証用顔画像及び前記認証用ＩＤを受信し、該認証用ＩＤが前記登録者ＩＤであることを認証し、該認証用ＩＤが前記登録者ＩＤであることを認証すると前記通信端末から送信された前記認証用顔画像及び前記認証用ＩＤを前記認証サーバに送信し、前記認証サーバから画像認証信号を受信し、前記情報配信サーバへのアクセスのための前記パスワードを前記認証用ＩＤに付与し、前記通信網を介して該認証用ＩＤ及び該パスワードを前記通信端末に送信し、前記認証用ＩＤ及び前記パスワードを前記情報配信サーバに送信するものであり、前記認証サーバは、前記制御サーバから前記登録者ＩＤを取得し、前記通信網を介して前記第１の顔認証装置から前記登録用顔画像を受信し、該登録用顔画像を登録し、前記制御サーバから前記認証用顔画像及び前記認証用ＩＤを受信し、前記登録用顔画像と前記認証用顔画像とを正規化処理及び相関処理し、前記登録用顔画像と前記認証用顔画像が同一か否かを判断し、前記登録用顔画像と前記認証用顔画像とが同一と認証すると前記画像認証信号を前記制御サーバに送信するものであり、前記情報配信サーバは、前記制御サーバから前記認証用ＩＤ及び前記パスワードを受信し、該認証用ＩＤ及び該パスワードを夫々確認用ＩＤ及び確認用パスワードとして記録し、前記通信網を介して前記通信端末から前記認証用ＩＤ及び前記パスワードを受信し、該認証用ＩＤ及び該パスワードが夫々前記確認用ＩＤ及び前記確認用パスワードと同一であることを確認し、該認証用ＩＤ及び該パスワードが夫々確認用ＩＤ及び確認用パスワードと同一であると取得している前記所定の情報を前記通信網を介して前記通信端末に送信するものである。
【００３９】
図３に本実施形態係る顔認証システム２００の概念図を示す。顔認証システム２００は、第１の顔認証装置１０と、第２の顔認証装置１１と、通信網２０に接続する通信端末１２と、通信網２０に接続する制御サーバ１３と、通信網２０に接続する認証サーバ１４と、通信網２０に接続する情報配信サーバ１５とで構成される。認証サーバ１４には、顔画像前処理部１６と、相関演算処理部１７とが含まれる。さらに、顔画像前処理部１６には、顔画像を抽出し、切り出し処理、２値化処理を行なう正規化処理部１９が含まれる。図３においては、制御サーバ１３と、認証サーバ１４と、情報配信サーバ１５とを夫々別のサーバとして示したが、これら３つのサーバを一体のサーバとしても良く、いずれか２つのサーバを一体のサーバとしても良い。
【００４０】
顔認証システム２００の情報の流れを図４のフローチャートに示す。図４は、横方向に各構成部を示し、縦方向に時間の流れを示す。
【００４１】
（登録段階）
まず、第１の顔認証装置１０が登録者の顔画像を撮影する。この際、第１の顔認証装置１０は、例えば基準点を表示するアプリケーションプログラムを予めダウンロードしていて、基準点を表示部に表示していることが好ましい。次に第１の顔認証装置１０が、撮影した登録用顔画像を認証サーバ１４に送信する。また、第１の顔認証装置１０は、登録者用顔画像を制御サーバ１３に送信し、制御サーバ１３が認証サーバ１４に転送することとしても良い。
【００４２】
認証サーバ１４は、第１の顔認証装置１０から送信された登録用顔画像を受信し、これを登録する。併せて、認証サーバ１４は、登録者ＩＤを登録する。登録者ＩＤは、認証サーバに入力されるものであっても良く、認証サーバが自動的に更新するものであっても良い。さらに、第１の顔認証装置１０が携帯電話である場合、携帯電話のＩＤであっても良い。また、第１の顔認証装置１０の登録者用顔画像が制御サーバ１３を介して認証サーバ１４に転送される場合、制御サーバ１３が発行するＩＤを登録者ＩＤとしても良い。
【００４３】
制御サーバ１３は、登録者ＩＤを登録する。以降、登録者ＩＤは、登録者が認証を求めて顔認証システムにアクセスしてきた場合の確認用のＩＤとして機能する。登録者ＩＤは、第１の顔認証装置１０が携帯電話である場合、携帯電話のＩＤであっても良く、制御サーバ１３に入力されるものであっても良い。制御サーバ１３は、登録者ＩＤを登録者の通信端末１２に送信する。
【００４４】
通信端末１２は、制御サーバ１３から登録者ＩＤを受信し、これを記録する。認証を求める際に、この登録者ＩＤを認証用のＩＤとして使用するためである。
【００４５】
（認証段階）
次に、認証段階について説明する。認証段階においては、まず、第２の顔認証装置１１が認証請求者の顔画像を撮影する。この際、第２の顔認証装置１１は、例えば基準点を表示するアプリケーションプログラムを予めダウンロードしていて、基準点を表示部に表示していることが好ましい。次に第２の顔認証装置１１が、撮影した認証用顔画像を通信端末１２に送信する。
【００４６】
通信端末１２は、第２の顔認証装置１１から認証用顔画像を受信する。認証用顔画像を受信した通信端末１２は、認証用顔画像を制御サーバ１３に送信する。また、通信端末１２は、記録してある登録者ＩＤを認証用ＩＤとして制御サーバ１３に送信する。
【００４７】
制御サーバ１３は、通信端末１２から認証用顔画像と認証用ＩＤを受信する。認証用ＩＤを受信した制御サーバ１３は、先に登録してある登録者ＩＤと認証用ＩＤの照合を行なう。ＩＤの照合は、通常の照合手段により成される。認証用ＩＤが登録者ＩＤであることを確認すると、制御サーバ１３は認証用顔画像及び認証用ＩＤを認証サーバ１４に送信する。認証用ＩＤを認証サーバ１４に送信するのは、認証サーバ１４が登録されている登録用顔画像のデータベースから該当する顔画像を呼び出すためである。認証用ＩＤが登録者ＩＤと一致しない場合は、制御サーバ１３は、通信端末１２にエラーメッセージを送信しても良い。
【００４８】
認証サーバ１４は、制御サーバ１３から認証用顔画像及び認証用ＩＤを受信する。認証用顔画像及び認証用ＩＤを受信した認証サーバ１４は、認証用ＩＤと同一である登録者ＩＤの登録用顔画像を認証サーバ１４のメモリなどの記録部から呼び出す。認証サーバ１４は、この登録者用顔画像と認証用顔画像（以降、登録者用顔画像と認証用顔画像を併せて「両画像」と称す。）との照合を行なう。両画像の照合は、正規化処理、相関処理、及び、判断という手順で行なわれる。正規化処理、相関処理、及び、判断については後述する。認証サーバ１４は、両画像が同一であることを認証すると、画像認証信号を制御サーバ１３に送信する。両画像が同一であると認証されない場合は、認証サーバ１４は制御サーバ１３にエラーメッセージを送信し、制御サーバ１３は、認証を求める者の通信端末１２にエラーメッセージを送信する。
【００４９】
制御サーバ１３は、認証サーバ１４から画像認証信号を受信すると、パスワードを発行し、認証用ＩＤにこのパスワードを付与する（以降、認証用ＩＤとパスワードを併せたものを「パスワード付きＩＤ」と称す。）。パスワード付きＩＤは、現実に認証用ＩＤとパスワードが一体となっていても良く、認証用ＩＤとパスワードが別の信号であっても良い。制御サーバ１３は、パスワード付きＩＤを通信端末１２と情報配信サーバ１５に送信する。
【００５０】
通信端末１２は、制御サーバ１３からパスワード付きＩＤを受信すると、パスワードを通信端末１２のメモリなどの記録部に記録する。
【００５１】
情報配信サーバ１５は、制御サーバ１３からパスワード付きＩＤを受信すると、パスワード付きＩＤを確認用パスワードとして情報配信サーバ１５のメモリなどの記録部に記録する。この際の情報配信サーバ１５は、記録部に所定の情報を記録したサーバである。
【００５２】
（情報配信段階）
通信端末１２は、情報を取得したい者の求めに応じてパスワード付きＩＤを情報配信サーバ１５に送信する。
【００５３】
情報配信サーバ１５は、通信端末１２からパスワード付きＩＤを受信し、パスワード付きＩＤと確認用パスワードとが同一であることを確認する。パスワード付きＩＤと確認用パスワードとが同一であることを確認すると、情報配信サーバ１５は、所定の情報を通信端末１２に送信する。パスワード付きＩＤと確認用パスワードとが同一であると確認されない場合、情報配信サーバ１５はエラーメッセージを通信端末１２に送信することとしても良い。
【００５４】
通信端末１２は、情報配信サーバ１５から所定の情報を受信する。以上が、顔認証システム２００の情報の流れである。
【００５５】
本実施形態に係る顔認証システム２００では、登録者ＩＤ及び認証用ＩＤは、カメラ付き携帯電話のＩＤとしても良い。第１の顔認証装置１０及び第２の顔認証装置１１として通常のカメラ付き携帯電話を使用することができ、このカメラ付き携帯電話固有のＩＤを登録者ＩＤ及び認証用ＩＤとすることが可能である。
【００５６】
また、本実施形態に係る顔認証システム２００では、通信端末１２が無線通信網により接続される無線通信端末としても良い。顔認証装置としてカメラ付き携帯電話を使用するモバイル環境において情報配信サーバ１５から所定の情報を得ることができる。情報配信サーバ１５から所定の情報が少ない場合などは、顔認証装置と通信端末とを一体として、これをカメラ付き携帯電話としても良い。
【００５７】
本実施形態に係る顔認証システム２００では、通信端末１２から通信網２０を介して制御サーバ１３に送信される認証用顔画像が暗号化されていることを含む。認証用顔画像を送信する際の本システム外部からの不正なアクセスに対し、認証用顔画像をＳＳＬ（Ｓｅｃｕｒｅ  Ｓｏｃｋｅｔ  Ｌａｙｅｒ）通信で暗号化して送信することで、個人情報のセキュリティ度を高くすることができる。
【００５８】
また、本実施形態に係る顔認証システム２００では、通信端末１２は、通信網２０を介して制御サーバ１３に認証用顔画像を送信すると、該認証用顔画像を通信端末１２のメモリなどの記録部から削除することを含む。例えば通信端末１２が盗難された場合、盗難した者が登録者になりすまし通信端末１２を使用し、情報を盗取することを防止することができる。
【００５９】
さらに、本実施形態に係る顔認証システム２００では、認証サーバ１４で行なう正規化処理が、登録用顔画像と認証用顔画像の各々の両目間の距離で各々の顔画像を正規化することが好ましい。例えば顔画像の３点で形成される面積で正規化を行なうと、顔がカメラに対して平行に撮影された場合と、傾いて撮影された場合とで面積差が生じ、正規化後の顔画像サイズにバラツキが生じる。これをもとに登録用顔画像と認証用顔画像の相関処理を行なうと、認証率が低下する。一方、両目の２点間の距離で正規化処理を行なえば、前述の面積差の影響を受けず、正規化後の顔画像サイズのバラツキも少なく、高い認証率を実現できる。
【００６０】
本実施形態に係る顔認証システム２００では、情報配信サーバ１５は、パスワード付きＩＤを制御サーバ１３から受信して所定の時間を超えると、パスワード付きＩＤを削除又は無効処理することを含む。制御サーバ１３からパスワード付きＩＤを受信した通信端末１２が盗難された場合、盗難した者が登録者になりすまし通信端末１２を使用し、情報を盗取することを防止するため、情報配信サーバ１５側で所定の時間が経過したパスワードに制限を設けるものである。
【００６１】
また、本実施形態に係る顔認証システム２００では、情報配信サーバ１５は、通信網２０を介して通信端末１２からパスワード付きＩＤを受信し、所定の情報を送信すると、パスワード付きＩＤを削除又は無効処理することを含む。制御サーバ１３からパスワード付きＩＤを受信した通信端末１２が盗難された場合、盗難した者が登録者になりすまし通信端末１２を使用し、情報を盗取することを防止するため、情報配信サーバ１５側で一度使用されたパスワード付きＩＤに制限を設けるいわゆるワンタイムパスワードとするものである。
【００６２】
（認証処理）
続いて、認証サーバ１４の顔画像前処理部１６と、相関演算処理部１７とが行なう認証処理である正規化処理、相関処理について説明する。本実施形態の正規化処理は、登録用顔画像と認証用顔画像を照合するにあたり、高い精度で照合を行なうため、両画像内の顔の大きさを同じレベルにサイジングし、且つ、後に行なう相関処理のため、両画像をフィルタリングするものである。本実施形態の正規化処理には、基準点抽出処理と、切り出し処理と、２値化処理とがある。
【００６３】
（正規化処理）
基準点抽出処理は、登録用顔画像及び認証用顔画像の各画像に設けられた基準点を抽出する。前述したように本実施形態の顔認証装置で撮影した顔画像中の両目に基準点が重畳されたデータである場合は、基準点の形状や色から容易に抽出することができる。顔画像中に基準点が重畳されていない場合には、顔画像中の両目を特定し、新たに基準点を設けても良い。この場合の両目の特定は、認証サーバの信号処理部が自動的に行なっても良く、認証サーバのオペレータが入力することにより成されても良い。本実施形態の顔認証装置で撮影した基準点が重畳された顔画像では、両画像のうちの顔の大きさを同じサイズに補正する必要がなく、また、画像内で顔の位置を同じ位置に補正する必要もない。
【００６４】
基準点抽出処理では、基準点を顔画像中の両目の２点とすることが好ましい。例えば顔画像の３点で形成される面積で正規化を行なうと、顔がカメラに対して平行に撮影された場合と、傾いて撮影された場合とで面積差が生じ、正規化後の顔画像サイズにバラツキが生じる。これをもとに登録用顔画像と認証用顔画像の相関処理を行なうと、認証率が低下する。一方、両目の２点間の距離で正規化処理を行なえば、前述の面積差の影響を受けず、顔画像サイズのバラツキも少なく、高い認証率を実現できる。
【００６５】
切り出し処理は、高い画像処理を行なうため、顔画像中の背景など余分な画像をできるだけ少なくするものである。顔画像中の顔の輪郭として認識される範囲は、個人差はあるが汎用性のある範囲を規定値として、自動で切り出し処理を行なうことも可能である。例えば前述の基準点を基準に上下左右に数百ピクセルを指定し、これを超える画像を自動的に削除することにより切り出し処理を行なうこととしても良い。もちろん、認証サーバのオペレータが任意のサイズを入力することにより成されても良い。
【００６６】
２値化処理では、フィルタを用いて輪郭や顔の部位などのエッジを抽出する。後の相関演算を光相関演算とするような場合に、透過光量を均一にするため又はＳ／Ｎ比を向上させるためである。フィルタにはソベルフィルタを用いることが好適である。また、全体の２０％を白くする２値化処理を行なうことが好適である。
【００６７】
（相関処理）
続いて、正規化処理で正規化された画像を相関処理する。本実施形態の相関処理に用いる相関処理部は特に限定しないが、光相関演算を用いた光並列相関処理部とすることが好適である。以降、本実施形態の相関処理部を、光並列相関処理部とした例について説明する。図５に示す光並列相関処理部３０は、光相関演算であるＪＴＣ（Ｊｏｉｎｔ  Ｔｒａｎｓｆｏｒｍ  Ｃｏｒｒｅｌａｔｉｏｎ）の原理を用いている。
【００６８】
光並列相関処理部３０では、光源ＬＤ３１から照射された光をコリメートレンズ３２で平行光にし、ビームスプリッタ３３で分割する。前述の正規化処理を行なった登録用顔画像と認証用顔画像を一定の距離ｄ離して電気書き込み型空間光変調器（ＥＳＬＭ）３４に表示し、マルチレベルゾーンプレートアレイ（ＭＬＺＰＡ）３５によりフーリエ変換像（ＪＰＳ：Ｊｏｉｎｔ  Ｐｏｗｅｒ  Ｓｐｅｃｔｒａ）を得る。このＪＰＳはミラー３６、ミラー３７で反射され、光書き込み型空間光変調器（ＯＳＬＭ）３８に書き込まれ、ＯＳＬＭ３８を通過した光がハーフミラー４１面に照射される。一方、前述のビームスプリッタ３３で分割された光がミラー３９、ミラー４０を介してハーフミラー４１面にコヒーレント光として照射される。ハーフミラー４１を通過した光は、再びＭＬＺＰＡ４２でフーリエ変換され、これを集光レンズ４３で集光し、この光を相関信号としてＣＣＤカメラ４４で取得する。
【００６９】
光並列相関処理部３０の光学系による演算過程において、自己相関（登録用顔画像と認証用顔画像とが同一人物）した場合と、相互相関（登録用顔画像と認証用顔画像とが別人物）した場合の違いを光路中の各面で比較したものを図６に示す。図６（ａ）はＥＳＬＭ３４面の表示画像を、（ｂ）（１）はＯＳＬＭ３８面のＪＰＳ像を、（ｃ）はＣＣＤカメラ４４面の相関信号を示す。
【００７０】
図６（ａ）に示すように自己相関、相互相関のいずれも登録用顔画像と認証用顔画像を距離ｄほど離して平行して並べる。距離ｄの基準となる点は各顔画像の２つの基準点の中心点である。２値化処理された顔画像は、ＥＳＬＭ３４面を通過後、フーリエ変換像となり、図６（ｂ）（１）に示すような光信号強度の分布として得られる。これにコヒーレント光を加えたものを周波数と光信号強度で示したものを図６（ｂ）（２）に示す。図６（ｂ）（２）に示すように自己相関の場合には、周波数に対する光信号強度のカーブに一定の振動（以降、この振動を「ピッチ」と称す。）がのる。このピッチｐは、ｐ＝ｆλ／ｄ（ｆ：フーリエ変換焦点距離、λ：波長、ｄ：顔画像間距離）で与えられ、処理画像に周期的な干渉縞が現れる。一方、相互相関の場合では、ピッチが崩れてしまい、周期的な干渉縞は現れない。したがって、図６（ｃ）に示すように、ＣＣＤカメラ４４面で得られる相関信号に、自己相関では鋭いピークとして高い光強度が現れ、相互相関では低い光強度分布となる。この光強度の違いを、本実施形態に係る顔認証システムの認証率として用いることができる。この光強度はＣＣＤカメラで受光され、光強度０〜２５５などのレベル値として出力することとしても良い。この信号を認証サーバに取り込み、認証サーバが予め設定する相関光強度閾値を用いて認証を行なうこととしても良い。
【００７１】
このように本実施形態の顔認証システムは、登録用顔画像及び認証用顔画像をバラツキを低減できる顔認証装置で撮影し、これを正規化処理、相関処理することで、モバイル環境においても登録者・未登録者の認証率が高く、且つ、セキュリティ度の高い顔認証システムとして使用することができる。
【実施例】
【００７２】
次に実施例により本発明をさらに詳細に説明する。実施例１として前述した顔認証システムを構築し、比較例１である従来のものとの認証率の違いについて検証した。実施例１及び比較例１の条件は以下の通りである。顔認証装置としては、株式会社日立製作所社製機種名Ａ５３０３Ｈのカメラ付き携帯電話を使用した。実施例１の基準点の表示は、ＪＡＶＡ（登録商標）で作製されたプログラムを使用した。比較例１では、基準点に換えて枠を表示するプログラムを使用した。通信端末と各サーバとの通信は、ｈｔｔｐプロトコル上で行なった。実施例１、比較例１ともに被験者を２０人とし、各ケースで自己相関と相互相関を行なった。撮影時の場所、照明などの条件は任意である。図７に各ケースで自己相関、相互相関を行なった際にＣＣＤセンサで捉えた光強度である強度値を示す。なお、相互相関強度値は、本人以外の被験者と相互相関を行ない、その中で強度値が最大値となるものを記載した。
【００７３】
実施例１と比較例１の自己相関強度値を比較すると、９０％の被験者に対して実施例１の強度値が高い。また、実施例１と比較例１の相互相関強度値を比較すると、６５％の被験者に対して実施例１の強度値が高い。したがって、２つの基準点により顔画像を撮影する本発明に係る顔認証システムが有効であることがいえる。
【００７４】
前述と同様の条件で実施例１と比較例１のエラーレートの違いについて検証した。エラーレートとして、本人を拒否する比率である本人拒否率（ＦＮＭＲ）と、本人以外の他人を本人として認識してしまう比率である他人受け入れ率（ＦＭＲ）を指標とし評価した。このＦＮＭＲ及びＦＭＲを強度閾値ごとに求めた結果を図８に示す。図８（１）は実施例１によるものであり、図８（２）は比較例１によるものである。ＦＮＭＲは、強度閾値を上げていくと閾値まで届かない強度値のものが相対的に増加し、本人として拒否される確率が高くなり、右肩上がり上がりのカーブを示す。ＦＭＲは、強度閾値を上げていくと閾値を超える強度値の他人も相対的に減少し、他人を受け入れてしまう確率が低くなり、右肩下がりのカーブを示す。理想的な認証率の顔画像認証が行なわれた場合、ＦＮＭＲのカーブとＦＭＲのカーブが交差しない領域ができ、この領域に強度閾値を設けることで、ＦＮＭＲ０％及びＦＭＲ０％を達成できる。図８（１）の実施例１と図８（２）の比較例１を比較すると、夫々ＦＮＭＲのカーブとＦＭＲのカーブとが交差する。しかし、実施例１では、比較例１よりも低いエラーレートで交差する。この交差ポイントに閾値を設けることで、ＦＮＭＲ、ＦＭＲともに低いエラーレートの顔画像認証とすることができる。したがって、２つの基準点により顔画像を撮影する本発明に係る顔認証システムが有効であることがいえる。
【００７５】
また、前記の検証試験で構築した顔認証システムでは、顔認証装置から認証用顔画像を送信し、制御サーバからパスワードを受信するまでに要した時間は平均６秒であり、高速で、且つ、高認証率の顔認証システムであることが検証できた。
【産業上の利用可能性】
【００７６】
本発明に係る顔認証システムは、モバイル環境においても簡単で、高いセキュリティのｅ−ｌｅａｒｎｉｎｇ用コンテンツなど様々なコンテンツの提供に利用することができる。
【図面の簡単な説明】
【００７７】
【図１】本実施形態に係る顔認証装置の一形態の概略図である。
【図２】顔認証装置で撮影した顔画像であり、（１）は本実施形態に係る顔認証装置を用いた顔画像、（２）は従来の顔認証装置を用いた顔画像である。
【図３】本実施形態に係る顔認証システムの概念図である。
【図４】本実施形態に係る顔認証システムの情報の流れを示すフローチャートである。
【図５】本実施形態の光並列相関処理部を示す概略図である。
【図６】本実施形態の相関処理の演算過程で得られる画像及びデータであり、（ａ）はＥＳＬＭ面の表示画像、（ｂ）（１）はＯＳＬＭ面のＪＰＳ像、（ｂ）（２）は周波数と強度の関係を示したもの、（ｃ）ＣＣＤカメラ面の相関信号を示す。
【図７】実施例１及び比較例１の自己相関及び相互相関時の強度値を表す図である。
【図８】実施例１及び比較例１の強度閾値に対するエラーレートの関係を示すグラフである。
【符号の説明】
【００７８】
１，カメラ
２，表示部
３，基準点重畳部
４，基準点
５，顔画像
１０，第１の顔認証装置
１１，第２の顔認証装置
１２，通信端末
１３，制御サーバ
１４，認証サーバ
１５，情報配信サーバ
１６，顔画像前処理部
１７，相関演算処理部
１９，正規化処理部
２０，通信網
３０，光並列相関処理部
３１，光源ＬＤ
３２，コリメートレンズ
３３，ビームスプリッタ
３４，ＥＳＬＭ
３５，ＭＬＺＰＡ
３６，３７，ミラー
３８，ＯＳＬＭ
３９，４０，ミラー
４１，ハーフミラー
４２，ＭＬＺＰＡ
４３，集光レンズ
４４，ＣＣＤカメラ
１００，顔認証装置
２００，顔認証システム
【図１】
2006221282.tif 000003
【図２】
2006221282.tif 000004
【図３】
2006221282.tif 000005
【図４】
2006221282.tif 000006
【図５】
2006221282.tif 000007
【図６】
2006221282.tif 000008
【図７】
2006221282.tif 000009
【図８】
2006221282.tif 000010